(57)【要約】      （修正有）【課題】チェーンソーに装着したソーチェーンの切刃を人手作業により、誰もがどこでも、正確で均一に目立て用治具を提供する。【解決手段】チェーンソーの、ソーチェーン案内板（ガイドバー）に掛けたソーチェーンの目立てする切刃と、同列に並ぶ直後の切刃を基準として、丸ヤスリを目立て角度の方向に動かせる面接触の案内部を備えた固定側治具を、事前にチェーンソーに取り付けておき、丸ヤスリを取り付けた長手鉄平板の案内面を備えたヤスリユニットを、前記案内部に置き、接触移動させて目立てする構造であることを特徴とする。【選択図】図１
0003159522.tif 000002
【実用新案登録請求の範囲】
【請求項１】
チェーンソーのソーチェーン案内板に取り付ける取り付け部と該ソーチェーン案内板に掛けたソーチェーンの切刃の目立て角度と方向を案内する案内部を設けることを特徴とするソーチェーンの切刃目立て用治具。
【請求項２】
請求項１に記載のソーチェーンの切刃目立て用治具において、前記案内部は、目立てする切刃の目立て角度と方向を案内する水平接触面１２と垂直接触面１３の２つの接触面を設けることを特徴とするソーチェーンの切刃目立て用治具。
【請求項３】
請求項１または請求項２に記載のソーチェーンの切刃目立て用治具において、前記案内部は、切刃の目立て角度が左切刃１６と右切刃１９で異なる２つの案内部を設けることを特徴とするソーチェーンの切刃目立て用治具。
【請求項４】
請求項１または請求項２または請求項３に記載のソーチェーンの切刃目立て用治具において、前記案内部と丸ヤスリ１１にヤスリブラケット９を介して連結したヤスリプレート８のヤスリプレートの水平案内面２３とヤスリプレートの垂直案内面２４を接触移動し目立てする構造であることを特徴とするソーチェーンの切刃目立て用治具。
【請求項５】
請求項１または請求項２または請求項３または請求項４に記載のソーチェーンの切刃目立て用治具において、前記取り付け部は目立てする切刃と該切刃の同列に並ぶ直後の切刃の２つの切刃を接触させる夫々の上切刃基準面１４と夫々の横切刃基準面１５の２つを基準として前記ソーチェーン案内板に締め付け固定させる固定用蝶ボルト５を設けることを特徴とするソーチェーンの切刃目立て用治具。
【請求項６】
請求項１または請求項２に記載のソーチェーンの切刃目立て用治具において、ベース１に前記水平接触面１２と同じ高さの平面２２を設けることを特徴とするソーチェーンの切刃目立て用治具。
【考案の詳細な説明】
【技術分野】
【０００１】  本考案は、チェーンソーに装着したソーチェーンの切刃を、丸ヤスリを使用して人手作業により、誰もが正確で均一に目立てすることのできる、ソーチェーンの切刃目立て用治具である。
【背景技術】
【０００２】  自動グラインダ目立て機が市販されているが、高価であり又電源が必要となる。通常は丸ヤスリを使用して人手作業により、ソーチェーンの切刃を目立てすることが多い。切刃をいつでも均一に目立てするには、熟練と技術が必要である。
【先行技術文献】
【特許文献】
【０００３】
【特許文献１】  特開２００５−１８６１７２号  公報
【考案の概要】
【考案が解決しようとする課題】
【０００４】  本考案は、誰もがどこでも、ソーチェーンの切刃を正確で均一に、人手作業で簡単に目立てを行うことができることを、解決しようとするものである。
【課題を解決するための手段】
【０００５】  一般には、ソーチェーンをチェーンソーに装着したままで、丸ヤスリを使用し人手作業で、ソーチェーンの切刃を目立てすることが多い。かなりの熟練と技術がなければ、均一に目立てすることはできない。この作業でソーチェンは、ソーチェーン案内板に掛けたままで目立てを行うので、ソーチェーンがしっかりと固定されず不安定であり、均一に目立てするのは至難のわざである。【０００６】  本考案は、チェーンソーのソーチェーン案内板に掛けたソーチェーンの、目立てする切刃と同列に並ぶ直後の切刃を基準として、ソーチェーンタイプごとに、目立て角度の方向に丸ヤスリを、確実に動かせる接触面を持った案内部を備えた固定側治具を、固定用蝶ボルト一本で固定する。この時、ソーチェーンの目立てする切刃と、同列に並ぶ直後の切刃ソーチェーン案内板は固定することができる。前記案内部に、丸ヤスリを付属した長手鉄平板を接触移動させ目立てする。【０００７】  左切刃を目立てする時、左切刃を目立てする案内部を備えた左切刃ガイドの上切刃基準面と横切刃基準面を目立てする切刃に接触させ、同列に並ぶ直後の左切刃には、右切刃を目立てする案内部を備えた右切刃ガイドの上切刃基準面と横切刃基準面を切刃に接触させ固定する。ソーチェーンの切刃は、左右対称交互に付いているので、固定側治具の取り付けの向きを、入れ替えて取り付け使用することにより、左右の切刃を目立てすることができる。固定側治具のチェーンソーへの取り付け位置は、丸ヤスリを取り付けた長手鉄平板を、前記案内部に接触させ、治具全体を移動、丸ヤスリを目立てする切刃に接触させる。その後、切刃を目立てする分だけ固定側治具のみをずらして固定する。【０００８】  丸ヤスリを取り付けた長手鉄平板と、丸ヤスリの取り付け位置と、チェーンソーに取り付けた固定側治具の案内部の、目立て角度の方向と使用丸ヤスリの直径の位置関係は、夫々のソーチェーンメーカの、目立て適正値に基づいた目立てになる様に設定する。ソーチェーンタイプごとの専用の治具である。前記構造で製作した治具を使用することにより課題を解決できる。
【考案の効果】
【０００９】  ソーチェーンの切刃は、左切刃と右切刃が交互に、配列されている。夫々切刃の目立て角度は、左右対称である。この配列された切刃を人手作業で目立てする時、目立てする切刃を指でおさえ、一方の手で丸ヤスリを持ち、目立て角度の方向を決め、しっかりとした姿勢をとり、切刃に丸ヤスリを当てて、目立てを行うのが一般的な作業である。切刃その物が小さく、同じ姿勢を保ち、丸ヤスリの目立て角度の方向に、繰り返し移動させるのは、難しい作業である。【００１０】  本考案の治具は、目立てする切刃をソーチェーン案内板に固定し、目立て角度と方向は、ソーチェーンメーカーの目立て適正値に、基づいて目立てできる様に設定された、接触移動できる案内部を備えており、丸ヤスリを取り付けた長手鉄平板の案内面を接触移動さて、切刃を目立てするので、しっかりした動作姿勢や指標もいらず、正確で均一に目立てできる。案内部は、対称に製作しているので、左右配列個数に関係なく、人手作業が簡単になる。目立て時、切刃の刃先は上切刃基準面と非接触になる様にしているので、目立てした切刃を傷めることはない。正確で均一に目立てした切刃のチェーンソーで、木材などの切断作業を行うと、誰もが安全で安定した快適作業となる。
【図面の簡単な説明】
【００１１】
【図１】本考案のソーチェーンの切刃目立て用治具の固定側治具とヤスリユニットの治具全体とソーチェーンの切刃の関係配置平面図
【図２】本考案のソーチェーンの切刃目立て用治具の固定側治具をソーチェーン案内板に配置固定を示す平面図（ａ）、正面図（ｂ）
【図３】チェーンソーの一例を示す斜視図
【図４】本考案のソーチェーンの切刃目立て用治具の固定側治具の平面図（ａ）、正面図（ｂ）、側面図（ｃ）、左切刃ガイド２の側面図（ｄ）
【図５】本考案のソーチェーンの切刃目立て用治具のヤスリユニットの平面図（ａ）、正面図（ｂ）、側面図（ｃ）
【図６】ソーチェーンの左切刃の平面図（ａ）、正面図（ｂ）、側面図（ｃ）とソーチェーンの右切刃の平面図（ｄ）、正面図（ｅ）
【図７】本考案のソーチェーンの切刃目立て用治具で右切刃の目立て作業実施例図
【図８】本考案のソーチェーンの切刃目立て用治具で左切刃の目立て作業実施例図
【考案を実施するための形態】
【００１２】  本考案治具は、ソーチェーン３１の切刃を固定、丸ヤスリ１１の目立て角度と方向を案内する固定側治具図４を、事前にソーチェーン案内板３０に取り付けておき、長手鉄平板に取り付けた丸ヤスリ１１で、目立てするものである。ソーチェーン案内板３０に取り付けた固定側治具図４は、ベース１に左切刃ガイド２と右切刃ガイド３と固定用ブラケット４をボルトで固定している。他に、切刃とソーチェーン案内板３０の段差調整用の段差調整用ボルト６と固定ナット７を付属しているる。丸ヤスリ１１は、長手鉄平板のヤスリプレート８の両端に、ヤスリブラケット９を配置し固定、ヤスリブラケット９に明けた穴に、丸ヤスリ１１を通してヤスリブラケット９に付属した止めネジ１０で固定している。
【００１３】  ベース１の両側には、左切刃ガイド２と右切刃ガイド３の案内部の水平接触面１２と同じ高さの平面２２を設けている。これは、ヤスリプレート８が水平接触面１２を、接触移動するとき安定させるためである。左切刃ガイド２と右切刃ガイド３の取り付け面２５は、水平接触面１２と平行にしている。他のソーチェーンの治具と、部品の共用化と部品加工を簡単にするためである。
【００１４】  左切刃ガイド２と右切刃ガイド３には、夫々目立てする切刃と同列に並ぶ直後の切刃の上切刃基準面１４と横切刃基準面１５、水平接触面１２と垂直接触面１３を備え、角度と寸法設定は、丸ヤスリ１１を取り付けたヤスリプレート８が、水平接触面１２と垂直接触面１３に接触して移動させたとき、目立てした切刃が、適正な目立てになる様に寸法設定している。
【００１５】  固定用ブラケット４には、ソーチェーン案内板３０への固定用蝶ボルト５が付属している。
【００１６】  丸ヤスリ１１は、止めネジ１０を緩めて位置を替えることができる。
【実施例】
【００１７】  ソーチェーン３１の左切刃１６を、目立てする場合で説明する。チェーンソーのソーチェーン案内板３０に掛けた、ソーチェーン３１の上方向から固定側治具図４を置き、目立てする左切刃１６の左切刃上刃１７の上に左切刃ガイド２を、さらに同列に並ぶ直後の左切刃１６の左切刃上刃１７の上に右切刃ガイド３を夫々の上切刃基準面１４が重なる様にし、固定側治具図４を夫々の左切刃横刃１８側に移動させ夫々の横切刃基準面１５に接触、左切刃ガイド２の側面２１を、目立てする左切刃１６の刃先２０に合し、固定用蝶ボルト５を時計回りに回して軽く仮固定する。ヤスリユニット図５を左切刃ガイド２の水平接触面１２と、ベース１の平面２２との間に、丸ヤスリ１１をのぞませヤスリプレート８を、水平接触面１２とベース１の平面２２の上に置く。固定用蝶ボルト５を、反時計回りに回して少し緩め左切刃ガイド２の垂直接触面１３に、ヤスリプレート８のヤスリプレートの垂直案内面２４を接触させ、その状態で固定側治具図４とヤスリユニット図５の治具全体を目立てする切刃に丸ヤスリ１１を移動接触させ、さらに目立てする分だけ固定側治具図４のみを移動させる。固定側治具図４の、夫々の上切刃基準面１４と夫々の横切刃基準面１５が、夫々の切刃と接触しているか確認した上で固定用蝶ボルト５で固定する。【００１８】  ヤスリプレートの水平案内面２３を、左切刃ガイド２の水平接触面１２に接触させながら、ヤスリプレートの垂直案内面２４を垂直接触面１３に近づける方向で、ヤスリユニット図５を前方に押し目立てし、ヤスリユニット図５を手前に戻す時は、目立てしている切刃と丸ヤスリ１１が接触しない様に、押す戻すの動作を繰り返す。垂直接触面１３と、ヤスリプレートの垂直案内面２４が、接触移動した時目立てが完了する。ヤスリユニット図５を取り除き、固定用蝶ボルト５を緩めて固定用治具図４も取り除く。【００１９】  ソーチェーン３１を移動させ、左切刃１６は前記要領で、右切刃１９は固定側治具図４を反転させて取り付け、左切刃１６と同じ要領で目立てする。
【符号の説明】
【００２０】  １  ベース
２  左切刃ガイド
３  右切刃ガイド
４  固定用ブラケット
５  固定用蝶ボルト
６  段差調整用ボルト
７  固定ナット
８  ヤスリプレート
９  ヤスリブラケット
１０  止めネジ
１１  丸ヤスリ
１２  水平接触面
１３  垂直接触面
１４  上切刃基準面
１５  横切刃基準面
１６  左切刃
１７  左切刃上刃
１８  左切刃横刃
１９  右切刃
２０  刃先
２１  側面
２２  平面
２３  ヤスリプレートの水平案内面
２４  ヤスリプレートの垂直案内面
２５  取り付け面
３０  ソーチェーン案内板
３１  ソーチェーン
【図１】
0003159522.tif 000003
【図２】
0003159522.tif 000004
【図３】
0003159522.tif 000005
【図４】
0003159522.tif 000006
【図５】
0003159522.tif 000007
【図６】
0003159522.tif 000008
【図７】
0003159522.tif 000009
【図８】
0003159522.tif 000010
【手続補正書】
【提出日】平成22年3月3日(2010.3.3)
【手続補正１】
【補正対象書類名】実用新案登録請求の範囲
【補正対象項目名】請求項６
【補正方法】変更
【補正の内容】
【請求項６】
請求項２に記載のソーチェーンの切刃目立て用治具において、ベース１に前記水平接触面１２と同じ高さの平面２２を設けることを特徴とするソーチェーンの切刃目立て用治具。